(57)【特許請求の範囲】
【請求項１】
着信を知らせる携帯機器の着信照明装置において、
前記携帯機器の筐体の透明部分に位置し、着信時又は照明時に発光する発光ダイオードと、
電圧印加の有無に依存して白濁状態又は透明状態に遷移し白濁状態で前記発光ダイオードからの光を分散し前記筐体の透明部分を介して前記携帯機器の周辺部分を照らし、透明状態で前記発光ダイオードからの光の分散を抑え前記筐体の透明部分を介して前記携帯機器から遠くを照明させる高分子分散液晶と、
照明設定又は着信設定の選択を判断し、照明設定又は着信設定の選択時に前記発光ダイオードを発光させ、さらに、照明設定選択時には前記高分子分散液晶を透明状態に遷移させ、着信設定選択時には前記高分子分散液晶を白濁状態に遷移させる着信照明制御部とを備えることを特徴とする携帯機器の着信照明装置。
【請求項２】
着信を知らせる携帯機器の着信照明装置において、
前記携帯機器の筐体の透明部分に位置し、着信時に発光する発光ダイオードと、
電圧印加に依存して白濁状態又は透明状態に遷移し白濁状態で前記発光ダイオードからの光を分散し前記筐体の透明部分を介して前記携帯機器の周辺部分を照らし、透明状態で前記発光ダイオードからの光の分散を抑え前記筐体の透明部分を介して前記携帯機器から遠くを照明させる高分子分散液晶と、
白濁状態又は透明状態の設定を判断し、着信があった場合には、前記発光ダイオードを発光させ、前記携帯機器の着信スピーカを鳴動させ、白濁状態の設定時には、電圧を印加せずに前記高分子分散液晶を白濁状態に遷移させ、透明状態の設定時には電圧を印加して前記高分子分散液晶を透明状態に遷移させる着信照明制御部とを備えることを特徴とする携帯機器の着信照明装置。
【請求項３】
着信を知らせる携帯機器の着信照明装置において、
前記携帯機器の筐体の透明部分に位置し、着信時又は照明時に発光する発光ダイオードと、
電圧印加の有無に依存して白濁状態又は透明状態に遷移し白濁状態で前記発光ダイオードからの光を分散し前記筐体の透明部分を介して前記携帯機器の周辺部分を照らし、透明状態で前記発光ダイオードからの光の分散を抑え前記筐体の透明部分を介して前記携帯機器から遠くを照明させる高分子分散液晶と、
照明設定又は着信設定の選択を判断し、照明設定の選択時に前記発光ダイオードを発光させ、前記高分子分散液晶を透明状態に遷移させ、着信設定の選択時には白濁状態又は透明状態の設定を判断し、着信があった場合には、前記発光ダイオードを発光させ、前記携帯機器の着信スピーカを鳴動させ、白濁状態の設定時には、電圧を印加せず前記高分子分散液晶を白濁状態に遷移させ、透明状態の設定時には電圧を印加して前記高分子分散液晶を透明状態に遷移させる着信照明制御部とを備えることを特徴とする携帯機器の着信照明装置。
【請求項４】
前記着信照明制御部は、非常照明設定又は着信設定の選択を判断し、非常照明設定又は着信設定の選択時に前記発光ダイオードを発光させ、非常照明設定選択時には、前記高分子分散液晶を透明状態に遷移させ、さらに、前記携帯機器の着信スピーカに対して音量を最大にして鳴動させることを特徴とする、請求項１又は請求項３に記載の携帯機器の着信照明装置。
【請求項５】
前記着信照明制御部は、非常照明設定又は着信設定の選択を判断し、非常照明設定又は着信設定の選択時に前記発光ダイオードを発光させ、非常照明設定選択時には、さらに、前記携帯機器の着信スピーカに対して音量を最大にして鳴動させ、前記電圧印加の有無を一定時間で繰り返し、これに伴い前記高分子分散液晶を透明状態又は白濁状態を一定時間で交互に遷移させることを特徴とする、請求項１又は請求項３に記載の携帯機器の着信照明装置。
【請求項６】
前記着信照明制御部は、照明設定、非常照明設定又は着信設定の選択を判断し、照明設定、非常用照明設定、着信設定の選択時に前記発光ダイオードを発光させ、さらに、照明設定、非常用照明設定選択時には照明設定選択時には前記高分子分散液晶を透明状態に遷移させ、非常用照明設定選択時には前記携帯機器の着信スピーカに対して音量を最大にして鳴動させ、着信設定選択時には前記高分子分散液晶を白濁状態に遷移させることを特徴とする、請求項１又は請求項３に記載の携帯機器の着信照明装置。
【請求項７】
前記着信照明制御部は、着信があった場合には、前記発光ダイオードを発光させ、着信スピーカを鳴動させ、電圧印加の有無を一定時間で繰り返し、これに伴い前記高分子分散液晶を透明状態又は白濁状態を一定時間で交互に遷移させることを特徴とする、請求項２又は請求項３に記載の携帯機器の着信照明装置。
【請求項８】
着信を知らせる携帯機器の着信照明方法において、
照明設定又は着信設定の選択を判断する工程と、
照明設定の選択時に前記携帯機器の筐体の透明部分に位置する発光ダイオードを発光させる工程と、
電圧を印加し高分子分散液晶を透明状態に遷移し透明状態で前記発光ダイオードからの光の分散を抑え前記筐体の透明部分を介して前記携帯機器から遠くを照明させる工程と、
着信設定の選択時に前記携帯機器の筐体の透明部分に位置する前記発光ダイオードを発光させる工程と、
電圧を印加せずに高分子分散液晶を白濁状態に遷移し白濁状態で前記発光ダイオードからの光を分散し前記筐体の透明部分を介して前記携帯機器の周辺部分を照明する工程とを備えることを特徴とする携帯機器の着信照明方法。
【請求項９】
着信を知らせる携帯機器の着信照明方法において、
高分子分散液晶の白濁状態又は透明状態の設定を判断する工程と、
着信時に前記携帯機器の筐体の透明部分に位置する発光ダイオードを発光させ、前記携帯機器の着信スピーカを鳴動させる工程と、
白濁状態の設定時には、電圧を印加せずに前記高分子分散液晶を白濁状態に遷移させ、前記発光ダイオードからの光を分散し前記筐体の透明部分を介して前記携帯機器の周辺部分を照らす工程と、
透明状態の設定時には、電圧を印加し前記高分子分散液晶を透明状態に遷移させ、前記発光ダイオードからの光の分散を抑え前記筐体の透明部分を介して前記携帯機器から遠くを照らす工程とを備えることを特徴とする携帯機器の着信照明方法。
【請求項１０】
着信を知らせる携帯機器の着信照明方法において、
照明設定又は着信設定の選択を判断する工程と、
照明設定の選択時に前記携帯機器の筐体の透明部分に位置する発光ダイオードを発光させる工程と、
電圧を印加し高分子分散液晶を透明状態に遷移し透明状態で前記発光ダイオードからの光の分散を抑え前記筐体の透明部分を介して前記携帯機器から遠くを照明させる工程と、
着信設定の選択時には白濁状態又は透明状態の設定を判断する工程と、
着信があった場合には、前記発光ダイオードを発光させ、前記携帯機器の着信スピーカを鳴動させる工程と、
白濁状態の設定時には、電圧を印加せず前記高分子分散液晶を白濁状態に遷移させ、前記発光ダイオードからの光を分散し前記筐体の透明部分を介して前記携帯機器の周辺部分を照らす工程と、
透明状態の設定時には電圧を印加して前記高分子分散液晶を透明状態に遷移させ、前記発光ダイオードからの光の分散を抑え前記筐体の透明部分を介して前記携帯機器から遠くを照らす工程とを備えることを特徴とする携帯機器の着信照明方法。
【請求項１１】
着信を知らせる携帯機器の着信照明をコンピュータで実行するプログラムにおいて、
照明設定又は着信設定の選択を判断する手順と、
照明設定の選択時に前記携帯機器の筐体の透明部分に位置する発光ダイオードを発光させる手順と、
電圧を印加し高分子分散液晶を透明状態に遷移し透明状態で前記発光ダイオードからの光の分散を抑え前記筐体の透明部分を介して前記携帯機器から遠くを照明させる手順と、
着信設定の選択時に前記携帯機器の筐体の透明部分に位置する前記発光ダイオードを発光させる手順と、
電圧を印加せずに高分子分散液晶を白濁状態に遷移し白濁状態で前記発光ダイオードからの光を分散し前記筐体の透明部分を介して前記携帯機器の周辺部分を照明する手順とを備えることを特徴とする携帯機器の着信照明をコンピュータで実行するプログラム。
【請求項１２】
着信を知らせる携帯機器の着信照明をコンピュータで実行するプログラムにおいて、
高分子分散液晶の白濁状態又は透明状態の設定を判断する手順と、
着信時に前記携帯機器の筐体の透明部分に位置する発光ダイオードを発光させ、前記携帯機器の着信スピーカを鳴動させる手順と、
白濁状態の設定時には、電圧を印加せずに前記高分子分散液晶を白濁状態に遷移させ、前記発光ダイオードからの光を分散し前記筐体の透明部分を介して前記携帯機器の周辺部分を照らす手順と、
透明状態の設定時には、電圧を印加し前記高分子分散液晶を透明状態に遷移させ、前記発光ダイオードからの光の分散を抑え前記筐体の透明部分を介して前記携帯機器から遠くを照らす手順とを備えることを特徴とする携帯機器の着信照明をコンピュータで実行するプログラム。
【請求項１３】
着信を知らせる携帯機器の着信照明をコンピュータで実行するプログラムにおいて、
照明設定又は着信設定の選択を判断する手順と、
照明設定の選択時に前記携帯機器の筐体の透明部分に位置する発光ダイオードを発光させる手順と、
電圧を印加し高分子分散液晶を透明状態に遷移し透明状態で前記発光ダイオードからの光の分散を抑え前記筐体の透明部分を介して前記携帯機器から遠くを照明させる手順と、
着信設定の選択時には白濁状態又は透明状態の設定を判断する手順と、
着信があった場合には、前記発光ダイオードを発光させ、前記携帯機器の着信スピーカを鳴動させる手順と、
白濁状態の設定時には、電圧を印加せず前記高分子分散液晶を白濁状態に遷移させ、前記発光ダイオードからの光を分散し前記筐体の透明部分を介して前記携帯機器の周辺部分を照らす手順と、
透明状態の設定時には電圧を印加して前記高分子分散液晶を透明状態に遷移させ、前記発光ダイオードからの光の分散を抑え前記筐体の透明部分を介して前記携帯機器から遠くを照らす工程とを備えることを特徴とする携帯機器の着信照明をコンピュータで実行するプログラム。
【請求項１４】
着信を知らせる携帯電話機において、
筐体の透明部分に位置し、着信時又は照明時に発光する発光ダイオードと、
電圧印加の有無に依存して白濁状態又は透明状態に遷移し白濁状態で前記発光ダイオードからの光を分散し前記筐体の透明部分を介して前記携帯電話機の周辺部分を照らし、透明状態で前記発光ダイオードからの光の分散を抑え前記筐体の透明部分を介して前記携帯電話機から遠くを照明させる高分子分散液晶と、
照明設定又は着信設定の選択を判断し、照明設定又は着信設定の選択時に前記発光ダイオードを発光させ、さらに、照明設定選択時には前記高分子分散液晶を透明状態に遷移させ、着信設定選択時には前記高分子分散液晶を白濁状態に遷移させる着信照明制御部とを備えることを特徴とする携帯電話機。
【請求項１５】
着信を知らせる携帯電話機おいて、
前記携帯電話機の筐体の透明部分に位置し、着信時に発光する発光ダイオードと、
電圧印加に依存して白濁状態又は透明状態に遷移し白濁状態で前記発光ダイオードからの光を分散し前記筐体の透明部分を介して前記携帯電話機の周辺部分を照らし、透明状態で前記発光ダイオードからの光の分散を抑え前記筐体の透明部分を介して前記携帯電話機から遠くを照明させる高分子分散液晶と、
白濁状態又は透明状態の設定を判断し、着信があった場合には、前記発光ダイオードを発光させ、前記携帯電話機の着信スピーカを鳴動させ、白濁状態の設定時には、電圧を印加せずに前記高分子分散液晶を白濁状態に遷移させ、透明状態の設定時には電圧を印加して前記高分子分散液晶を透明状態に遷移させる着信照明制御部とを備えることを特徴とする携帯電話機。
【請求項１６】
着信を知らせる携帯電話機において、
前記携帯電話機の筐体の透明部分に位置し、着信時又は照明時に発光する発光ダイオードと、
電圧印加の有無に依存して白濁状態又は透明状態に遷移し白濁状態で前記発光ダイオードからの光を分散し前記筐体の透明部分を介して前記携帯電話機の周辺部分を照らし、透明状態で前記発光ダイオードからの光の分散を抑え前記筐体の透明部分を介して前記携帯電話機から遠くを照明させる高分子分散液晶と、
照明設定又は着信設定の選択を判断し、照明設定の選択時に前記発光ダイオードを発光させ、前記高分子分散液晶を透明状態に遷移させ、着信設定の選択時には白濁状態又は透明状態の設定を判断し、着信があった場合には、前記発光ダイオードを発光させ、前記携帯電話機の着信スピーカを鳴動させ、白濁状態の設定時には、電圧を印加せず前記高分子分散液晶を白濁状態に遷移させ、透明状態の設定時には電圧を印加して前記高分子分散液晶を透明状態に遷移させる着信照明制御部とを備えることを特徴とする携帯電話機。
【請求項１７】
着信、照明時に発光する前記発光ダイオードと、白濁状態又は透明状態にし、前記発光ダイオードからの光を分散させ、分散を抑える前記高分子分散液晶は携帯電話機の上部先端に位置することを特徴とする、請求項１４乃至１６のいずれか１つの請求項に記載の携帯電話機。
【発明の詳細な説明】
【技術分野】
【０００１】
本発明は着信ランプを有する携帯電話機に関する。特に、本発明は、照明装置、非常用照明装置の機能を有し、さらに着信ランプの見栄えを変化させる着信発光機能を有する携帯電話機、携帯機器の着信照明装置、方法及びプログラムに関する。
【背景技術】
【０００２】
携帯電話機に着信ランプが装備されていることは周知であり、着信ランプは光を分散し携帯電話機の周辺部を照らし着信を知らせる。
例えば、暗闇で鍵穴、落とし物を捜し、暗闇で行動する場合に照明装置として携帯電話機を使用できれば便利であり、さらに、犯罪、災害に出会った場合に被害者の存在を知らせる非常用照明装置として携帯電話機を使用できれば便利であるが、このような場合に上記着信ランプで照明可能にするには駆動電力を増加する必要があり、低消費電力化に問題がある。
【０００３】
携帯電話機を照明装置、非常用聡明装置として携帯電話機の筐体に着信ランプの他に発光ダイオードを追加配置することが可能であるが、この場合、駆動電力の増加を伴わないが、デザイン性に欠ける部分があり、携帯電話機自体が大型化するという問題がある。
さらに、着信時に光を分散させるだけでなく、着信ランプに発光の多様性を持たせ、着信ランプの発光の見栄えを変化させたいという課題がある。
このような携帯電話機、照明装置に関連し以下のような従来技術がある。
【０００４】
従来、携帯電話機において良好なアンテナ特性を維持しつつ一段と小型軽量化できるようにするため、基板と所定波長以上の長さに隔てられた位置に設けられたアンテナ素子を被覆する被覆部に対して、アンテナ素子と基板との間に所定の大きさを有する貫通部を設け、当該被覆部又はその近傍の発光ランプをＬＥＤ素子により照射して発光させることにより、貫通部を介して小型軽量化を図ることができると同時に、引出収納式のアンテナと比較してアンテナ素子の状態が不変であるため待受時及び通話時の双方においても良好なアンテナ特性を維持しつつ一段と小型軽量化することができるものがある（例えば、特許文献１参照）。
【０００５】
しかしながら、上記特許文献１では、発光ランプはＬＥＤ素子の発光を携帯電話機の着信発光、カメラのフラッシュに用いるものであるが、携帯電話機に駆動電力を増加せずに照明機能、非常用照明機能、さらに、着信ランプの見栄えを変化させる着信発光機能を持たせるものではない。
また、従来、透過光のスペクトルを一定に保持し、液晶素子における光の透過率を連続的に制御する駆動方法と、この駆動方法を利用した液晶装置と、液晶装置に好適に使用される液晶素子と、液晶装置を組み込んだ照明装置とを提供するため、駆動方法は、複合膜１が光散乱状態となる電圧と、透明状態となる電圧とを交互に印加し、その時間幅を変化させて、単位時間あたりの光散乱状態と透明状態との比率を変化させ、複合膜の単位時間あたりの透過光量を制御し、液晶装置は、上記駆動電圧を液晶素子に印加する駆動回路を設け、液晶素子は、１００℃以上で液晶相で、印加電圧に対して応答性を有し続ける液晶材料を使用し、照明装置は、液晶素子を、光源ランプからの投射光の光路上に配置するものもある（例えば、非特許文献１参照）。
【０００６】
しかしながら、上記特許文献２では、液晶素子における光の透過率を連続的に制御する照明装置であり、不透明な状態と透明な状態を切り替えによる表示に既に液晶が実用されることは開示されているが、携帯電話機に駆動電力を増加せずに照明機能を持たせるものではない。
【０００７】
【特許文献１】特開２００４−２４１９３９号公報
【特許文献２】特開平０６−１４８５９７号公報
【発明の開示】
【発明が解決しようとする課題】
【０００８】
したがって、本発明は上記問題点に鑑みて、本発明は、駆動電力を増加せずに、さらに、大型化を伴わずに照明装置、非常用照明装置の機能を有し、さらに着信ランプの見栄えを変化させる着信発光機能を有する携帯機器の着信照明装置、方法、プログラム及び携帯電話機を提供することを目的とする。
【課題を解決するための手段】
【０００９】
本発明は前記問題点を解決するために、着信を知らせる携帯機器の着信照明装置において、前記携帯機器の筐体の透明部分に位置し、着信時又は照明時に発光する発光ダイオードと、電圧印加の有無に依存して白濁状態又は透明状態に遷移し白濁状態で前記発光ダイオードからの光を分散し前記筐体の透明部分を介して前記携帯機器の周辺部分を照らし、透明状態で前記発光ダイオードからの光の分散を抑え前記筐体の透明部分を介して前記携帯機器から遠くを照明させる高分子分散液晶と、照明設定又は着信設定の選択を判断し、照明設定又は着信設定の選択時に前記発光ダイオードを発光させ、さらに、照明設定選択時には前記高分子分散液晶を透明状態に遷移させ、着信設定選択時には前記高分子分散液晶を白濁状態に遷移させる着信照明制御部とを備えることを特徴とする携帯機器の着信照明装置を提供する。
【００１０】
さらに、本発明は、着信を知らせる携帯機器の着信照明装置において、前記携帯機器の筐体の透明部分に位置し、着信時に発光する発光ダイオードと、電圧印加に依存して白濁状態又は透明状態に遷移し白濁状態で前記発光ダイオードからの光を分散し前記筐体の透明部分を介して前記携帯機器の周辺部分を照らし、透明状態で前記発光ダイオードの光からの分散を抑え前記筐体の透明部分を介して前記携帯機器から遠くを照明させる高分子分散液晶と、白濁状態又は透明状態の設定を判断し、着信があった場合には、前記発光ダイオードを発光させ、前記携帯機器の着信スピーカを鳴動させ、白濁状態の設定時には、電圧を印加せずに前記高分子分散液晶を白濁状態に遷移させ、透明状態の設定時には電圧を印加して前記高分子分散液晶を透明状態に遷移させる着信照明制御部とを備えることを特徴とする携帯機器の着信照明装置を提供する。
【００１１】
さらに、本発明は、着信を知らせる携帯機器の着信照明装置において、前記携帯機器の筐体の透明部分に位置し、着信時又は照明時に発光する発光ダイオードと、電圧印加の有無に依存して白濁状態又は透明状態に遷移し白濁状態で前記発光ダイオードからの光を分散し前記筐体の透明部分を介して前記携帯機器の周辺部分を照らし、透明状態で前記発光ダイオードの光からの分散を抑え前記筐体の透明部分を介して前記携帯機器から遠くを照明させる高分子分散液晶と、照明設定又は着信設定の選択を判断し、照明設定の選択時に前記発光ダイオードを発光させ、前記高分子分散液晶を透明状態に遷移させ、着信設定の選択時には白濁状態又は透明状態の設定を判断し、着信があった場合には、前記発光ダイオードを発光させ、前記携帯機器の着信スピーカを鳴動させ、白濁状態の設定時には、電圧を印加せず前記高分子分散液晶を白濁状態に遷移させ、透明状態の設定時には電圧を印加して前記高分子分散液晶を透明状態に遷移させる着信照明制御部とを備えることを特徴とする携帯機器の着信照明装置を提供する。
【００１２】
さらに、本発明は、前記着信照明制御部は、非常照明設定又は着信設定の選択を判断し、非常照明設定又は着信設定の選択時に前記発光ダイオードを発光させ、非常照明設定選択時には、前記高分子分散液晶を透明状態に遷移させ、さらに、前記携帯機器の着信スピーカに対して音量を最大にして鳴動させる。
さらに、前記着信照明制御部は、非常照明設定又は着信設定の選択を判断し、非常照明設定又は着信設定の選択時に前記発光ダイオードを発光させ、非常照明設定選択時には、さらに、前記携帯機器の着信スピーカに対して音量を最大にして鳴動させ、前記電圧印加の有無を一定時間で繰り返し、これに伴い前記高分子分散液晶を透明状態又は白濁状態を一定時間で交互に遷移させる。
【００１３】
さらに、本発明は、前記着信照明制御部は、照明設定、非常照明設定又は着信設定の選択を判断し、照明設定、非常用照明設定、着信設定の選択時に前記発光ダイオードを発光させ、さらに、照明設定、非常用照明設定選択時には照明設定選択時には前記高分子分散液晶を透明状態に遷移させ、非常用照明設定選択時には前記携帯機器の着信スピーカに対して音量を最大にして鳴動させ、着信設定選択時には前記高分子分散液晶を白濁状態に遷移させる。
【００１４】
さらに、前記着信照明制御部は、着信があった場合には、前記発光ダイオードを発光させ、着信スピーカを鳴動させ、電圧印加の有無を一定時間で繰り返し、これに伴い前記高分子分散液晶を透明状態又は白濁状態を一定時間で交互に遷移させる。
さらに、本発明は、着信を知らせる携帯機器の着信照明方法において、照明設定又は着信設定の選択を判断する工程と、照明設定の選択時に前記携帯機器の筐体の透明部分に位置する発光ダイオードを発光させる工程と、電圧を印加し高分子分散液晶を透明状態に遷移し透明状態で前記発光ダイオードからの光の分散を抑え前記筐体の透明部分を介して前記携帯機器から遠くを照明させる工程と、着信設定の選択時に前記携帯機器の筐体の透明部分に位置する前記発光ダイオードを発光させる工程と、電圧を印加せずに高分子分散液晶を白濁状態に遷移し白濁状態で前記発光ダイオードからの光を分散し前記筐体の透明部分を介して前記携帯機器の周辺部分を照明する工程とを備えることを特徴とする携帯機器の着信照明方法を提供する。
【００１５】
さらに、本発明は、着信を知らせる携帯機器の着信照明方法において、高分子分散液晶の白濁状態又は透明状態の設定を判断する工程と、着信時に前記携帯機器の筐体の透明部分に位置する発光ダイオードを発光させ、前記携帯機器の着信スピーカを鳴動させる工程と、白濁状態の設定時には、電圧を印加せずに前記高分子分散液晶を白濁状態に遷移させ、前記発光ダイオードからの光を分散し前記筐体の透明部分を介して前記携帯機器の周辺部分を照らす工程と、透明状態の設定時には、電圧を印加し前記高分子分散液晶を透明状態に遷移させ、前記発光ダイオードからの光の分散を抑え前記筐体の透明部分を介して前記携帯機器から遠くを照らす工程とを備えることを特徴とする携帯機器の着信照明方法を提供する。
【００１６】
さらに、本発明は、着信を知らせる携帯機器の着信照明方法において、照明設定又は着信設定の選択を判断する工程と、照明設定の選択時に前記携帯機器の筐体の透明部分に位置する発光ダイオードを発光させる工程と、電圧を印加し高分子分散液晶を透明状態に遷移し透明状態で前記発光ダイオードからの光の分散を抑え前記筐体の透明部分を介して前記携帯機器から遠くを照明させる工程と、着信設定の選択時には白濁状態又は透明状態の設定を判断する工程と、着信があった場合には、前記発光ダイオードを発光させ、前記携帯機器の着信スピーカを鳴動させる工程と、白濁状態の設定時には、電圧を印加せず前記高分子分散液晶を白濁状態に遷移させ、前記発光ダイオードからの光を分散し前記筐体の透明部分を介して前記携帯機器の周辺部分を照らす工程と、透明状態の設定時には電圧を印加して前記高分子分散液晶を透明状態に遷移させ、前記発光ダイオードからの光の分散を抑え前記筐体の透明部分を介して前記携帯機器から遠くを照らす工程とを備えることを特徴とする携帯機器の着信照明方法を提供する。
【００１７】
さらに、本発明は、着信を知らせる携帯機器の着信照明をコンピュータで実行するプログラムにおいて、照明設定又は着信設定の選択を判断する手順と、照明設定の選択時に前記携帯機器の筐体の透明部分に位置する発光ダイオードを発光させる手順と、電圧を印加し高分子分散液晶を透明状態に遷移し透明状態で前記発光ダイオードからの光の分散を抑え前記筐体の透明部分を介して前記携帯機器から遠くを照明させる手順と、着信設定の選択時に前記携帯機器の筐体の透明部分に位置する前記発光ダイオードを発光させる手順と、電圧を印加せずに高分子分散液晶を白濁状態に遷移し白濁状態で前記発光ダイオードからの光を分散し前記筐体の透明部分を介して前記携帯機器の周辺部分を照明する手順とを備えることを特徴とする携帯機器の着信照明をコンピュータで実行するプログラムを提供する。
【００１８】
さらに、本発明は、着信を知らせる携帯機器の着信照明をコンピュータで実行するプログラムにおいて、高分子分散液晶の白濁状態又は透明状態の設定を判断する手順と、着信時に前記携帯機器の筐体の透明部分に位置する発光ダイオードを発光させ、前記携帯機器の着信スピーカを鳴動させる手順と、白濁状態の設定時には、電圧を印加せずに前記高分子分散液晶を白濁状態に遷移させ、前記発光ダイオードからの光を分散し前記筐体の透明部分を介して前記携帯機器の周辺部分を照らす手順と、透明状態の設定時には、電圧を印加し前記高分子分散液晶を透明状態に遷移させ、前記発光ダイオードからの光の分散を抑え前記筐体の透明部分を介して前記携帯機器から遠くを照らす手順とを備えることを特徴とする携帯機器の着信照明をコンピュータで実行するプログラムを提供する。
【００１９】
さらに、本発明は、着信を知らせる携帯機器の着信照明をコンピュータで実行するプログラムにおいて、照明設定又は着信設定の選択を判断する手順と、照明設定の選択時に前記携帯機器の筐体の透明部分に位置する発光ダイオードを発光させる手順と、電圧を印加し高分子分散液晶を透明状態に遷移し透明状態で前記発光ダイオードからの光の分散を抑え前記筐体の透明部分を介して前記携帯機器から遠くを照明させる手順と、着信設定の選択時には白濁状態又は透明状態の設定を判断する手順と、着信があった場合には、前記発光ダイオードを発光させ、前記携帯機器の着信スピーカを鳴動させる手順と、白濁状態の設定時には、電圧を印加せず前記高分子分散液晶を白濁状態に遷移させ、前記発光ダイオードからの光を分散し前記筐体の透明部分を介して前記携帯機器の周辺部分を照らす手順と、透明状態の設定時には電圧を印加して前記高分子分散液晶を透明状態に遷移させ、前記発光ダイオードからの光の分散を抑え前記筐体の透明部分を介して前記携帯機器から遠くを照らす工程とを備えることを特徴とする携帯機器の着信照明をコンピュータで実行するプログラムを提供する。
【００２０】
さらに、本発明は、着信を知らせる携帯電話機において、筐体の透明部分に位置し、着信時又は照明時に発光する発光ダイオードと、電圧印加の有無に依存して白濁状態又は透明状態に遷移し白濁状態で前記発光ダイオードからの光を分散し前記筐体の透明部分を介して前記携帯電話機の周辺部分を照らし、透明状態で前記発光ダイオードからの光の分散を抑え前記筐体の透明部分を介して前記携帯電話機から遠くを照明させる高分子分散液晶と、照明設定又は着信設定の選択を判断し、照明設定又は着信設定の選択時に前記発光ダイオードを発光させ、さらに、照明設定選択時には前記高分子分散液晶を透明状態に遷移させ、着信設定選択時には前記高分子分散液晶を白濁状態に遷移させる着信照明制御部とを備えることを特徴とする携帯電話機を提供する。
【００２１】
さらに、本発明は、着信を知らせる携帯電話機おいて、前記携帯電話機の筐体の透明部分に位置し、着信時に発光する発光ダイオードと、電圧印加に依存して白濁状態又は透明状態に遷移し白濁状態で前記発光ダイオードからの光を分散し前記筐体の透明部分を介して前記携帯電話機の周辺部分を照らし、透明状態で前記発光ダイオードからの光の分散を抑え前記筐体の透明部分を介して前記携帯電話機から遠くを照明させる高分子分散液晶と、白濁状態又は透明状態の設定を判断し、着信があった場合には、前記発光ダイオードを発光させ、前記携帯電話機の着信スピーカを鳴動させ、白濁状態の設定時には、電圧を印加せずに前記高分子分散液晶を白濁状態に遷移させ、透明状態の設定時には電圧を印加して前記高分子分散液晶を透明状態に遷移させる着信照明制御部とを備えることを特徴とする携帯電話機を提供する。
【００２２】
さらに、本発明は、着信を知らせる携帯電話機において、前記携帯電話機の筐体の透明部分に位置し、着信時又は照明時に発光する発光ダイオードと、電圧印加の有無に依存して白濁状態又は透明状態に遷移し白濁状態で前記発光ダイオードからの光を分散し前記筐体の透明部分を介して前記携帯電話機の周辺部分を照らし、透明状態で前記発光ダイオードからの光の分散を抑え前記筐体の透明部分を介して前記携帯電話機から遠くを照明させる高分子分散液晶と、照明設定又は着信設定の選択を判断し、照明設定の選択時に前記発光ダイオードを発光させ、前記高分子分散液晶を透明状態に遷移させ、着信設定の選択時には白濁状態又は透明状態の設定を判断し、着信があった場合には、前記発光ダイオードを発光させ、前記携帯電話機の着信スピーカを鳴動させ、白濁状態の設定時には、電圧を印加せず前記高分子分散液晶を白濁状態に遷移させ、透明状態の設定時には電圧を印加して前記高分子分散液晶を透明状態に遷移させる着信照明制御部とを備えることを特徴とする携帯電話機を提供する。
さらに、着信、照明、非常用照明時に発光する前記発光ダイオードと、白濁状態又は透明状態にし、前記発光ダイオードからの光を分散させ、分散を抑える前記高分子分散液晶は携帯電話機の上部先端に位置する。
【発明の効果】
【００２３】
以上説明したように、本発明によれば、照明設定又は着信設定の選択を判断し、照明設定の選択時に携帯機器の筐体の透明部分に位置する発光ダイオードを発光させ、電圧を印加し高分子分散液晶を透明状態に遷移し透明状態で発光ダイオードからの光の分散を抑え筐体の透明部分を介して携帯機器から遠くを照明させ、着信設定の選択時に携帯機器の筐体の透明部分に位置する発光ダイオードを発光させ、電圧を印加せずに高分子分散液晶を白濁状態に遷移し白濁状態で発光ダイオードからの光を分散し筐体の透明部分を介して携帯機器の周辺部分を照明するようにしたので、暗闇で鍵穴、落とし物を捜し、暗闇で行動するために有用となる。
【００２４】
非常照明設定又は着信設定の選択を判断し、非常照明設定選択時には、さらに、携帯機器の着信スピーカに対して音量を最大にして鳴動させるようにしたので、犯罪、災害に出会った場合に被害者の存在を知らせるために有用となる。
さらに、高分子分散液晶の白濁状態又は透明状態の設定を判断し、着信時に携帯機器の筐体の透明部分に位置する発光ダイオードを発光させ、携帯機器の着信スピーカを鳴動させ、白濁状態の設定時には、電圧を印加せずに高分子分散液晶を白濁状態に遷移させ、発光ダイオードからの光を分散し筐体の透明部分を介して携帯機器の周辺部分を照らし、透明状態の設定時には、電圧を印加し高分子分散液晶を透明状態に遷移させ、発光ダイオードからの光の分散を抑え筐体の透明部分を介して携帯機器から遠くを照らすようにしたので、見栄えを変化させる着信発光機能が可能になる。
【発明を実施するための最良の形態】
【００２５】
以下、本発明の実施の形態について図面を参照して説明する。
図１は本発明に係る携帯電話機の概略外観を示す表裏面図である。本図（ａ）、（ｂ）に示すように、携帯電話機１００は、一例として、折り畳み式の携帯電話機であり、好ましくは、その上部先端には着信照明ランプ１０１が設けられ、着信照明ランプ１０１は、電話、メールの着信時にＯＮになり周辺部を照らし、着信を知らせることができる機能と、より遠くを照らすことができる照明装置の機能を有する。上記の上部先端とするのは照明するのに適しているためである。
【００２６】
さらに、本図（ｂ）に示すように、携帯電話機１００では一例としてその裏面には着信スピーカ１０２が設けられ、着信スピーカ１０２は着信時に鳴動し、さらに、着信照明ランプ１０１が非常時に照明するときに鳴動する。
図２は図１における着信照明ランプ１０１の概略構成を示す断面図である。本図に示すように、着信照明ランプ１０１は、基板２０２上の発光ダイオード２０１、高分子分散液晶２０３で構成され、携帯電話機１００の筐体２０４の筐体透明部２０５に対向する位置にある。
【００２７】
ここに、発光ダイオード２０１はＲ（赤色）Ｇ（緑色）Ｂ（青色）の発光ダイオードからなり、高分子分散液晶２０３は白濁状態又は透明状態になり、発光ダイオード２０１で発光する光を分散し、又は光の分散を抑え外側に出す機能を有する。
図３は図２における高分子分散液晶２０３の状態遷移を説明する図である。
本図（ａ）に示すように、高分子分散液晶２０３は高分子２０３Ａ、液晶分子２０３Ｂ、導電性高分子２０３Ｃからなり、電圧電源２０３ＤのＯＦＦの白濁状態では、電圧電源２０３Ｄにより導電性高分子２０３Ｃ間に電圧が印加されず、高分子２０３Ａの中に小さい粒子の液晶分子２０３Ｂが分散しており、この粒子が光を散乱するため、高分子分散液晶２０３が白く濁って見える。
【００２８】
本図（ｂ）に示すように、電圧電源２０３ＤのＯＮの透明状態では、電圧電源２０３Ｄの電圧が導電性高分子２０３Ｃ間に印加され、液晶分子２０３Ｂが電場方向に配向し、光の分散（散乱）が抑えられ高分子分散液晶２０３が透明になる。
このように、電圧電源２０３ＤのＯＮ、ＯＦＦに依存して、高分子分散液晶２０３が透明状態から白濁状態に、白濁状態から透明状態に相互に遷移する。
【００２９】
さらに、高分子分散液晶２０３が白濁状態である場合には発光ダイオード２０１がＯＮになった場合、着信照明ランプ１０１の周辺部の近くを満遍なく照らすることが可能になり、高分子分散液晶２０３が透明状態である場合には発光ダイオード２０１がＯＮになった場合、発光ダイオード２０１の光が携帯電話機１００の外側に出て、着信照明ランプ１０１からより遠くまで照らすことが可能になる。
【００３０】
図４は携帯電話機１００の制御部の概略構成を示すブロック図である。携帯電話機１００は携帯電話機制御部３０１を有し、携帯電話機制御部３０１は、コンピュータで実行するプログラムによって形成され、携帯電話機１００全体の制御を行うと共に、本図に示すように、着信照明制御部３０２を有し、さらに、着信照明制御部３０２は、液晶状態切替判断部３０２Ａ、着信照明ランプ制御部３０２Ｂ、報知音制御部３０２Ｃを有する。
【００３１】
液晶状態切替判断部３０２Ａは、一例として、携帯電話機１００の電話、メールの着信音が鳴らさないようにユーザーの操作で設定を行うマナーモードに対して、ユーザーの操作によるマナーモード設定が長押しか否かにより着信照明ランプ１０１の高分子分散液晶２０３の白濁状態から透明状態への切替か、又は透明状態から白濁状態への切替かを判断する。なお、マナーモード設定時には着信がないので、照明に使用するのに適している。
【００３２】
着信照明ランプ制御部３０２Ｂは、液晶状態切替判断部３０２Ａの切替判断に基づき、着信照明ランプ１０１の高分子分散液晶２０３に対して白濁状態又は透明状態への切替を行う。
報知音制御部３０２Ｃは、液晶状態切替判断部３０２Ａによるマナーモード設定の長押しの判断に対して、着信スピーカ１０２をＯＮにし、設定されている着信音に対して音量を最大にする。非常用照明時に犯罪、災害発生時に被害者が居ることを音で効率よく知らせるためである。
【００３３】
図５は図１の携帯電話機１００における照明機能の制御動作例を説明するフローチャートである。本図に示すように、ステップＳ４０１において、着信照明制御部３０２の液晶状態切替判断部３０２Ａでは、マナーモード設定が選択されたか否かを判断する。マナーモード設定が選択されていない場合にはステップＳ４０５に進む。
ステップＳ４０２において、液晶状態切替判断部３０２Ａではマナーモード設定が行われた場合には、マナーモード設定のボタンを押す時間ｔが所定時間ｔ０よりも長いか（ｔ＞ｔ０）否かを判断する。ボタンを押す時間ｔが所定時間ｔ０よりも長い（ｔ＞ｔ０）場合には長押しと判断する。ボタンを押す時間ｔが所定時間ｔ０と等しいか又は短い（ｔ≦ｔ０）場合には、通常のマナーモード設定と判断して処理を終了する。すなわち、高分子分散液晶２０３の電源電圧２０３ＤはＯＦＦであり、高分子分散液晶２０３は白濁状態である。
【００３４】
ステップＳ４０３において、液晶状態切替判断部３０２Ａで長押し（ｔ＞ｔ０）との判断を行った場合には、着信照明ランプ制御部３０２Ｂでは着信照明ランプ１０１の発光ダイオード２０１をＯＮにする。
ステップＳ４０４において、さらに、着信照明ランプ制御部３０２Ｂでは高分子分散液晶２０３の電圧電源２０３ＤをＯＮにし、高分子分散液晶２０３を透明状態にし、処理を終了する。
【００３５】
これにより、着信照明ランプ１０１は照明装置として動作する。
ステップＳ４０５において、着信照明ランプ制御部３０２Ｂではマナーモード設定の解除が選択されたか否かを判断する。解除が選択されない場合には処理を終了する。
ステップＳ４０６において、着信照明ランプ制御部３０２Ｂではマナーモード設定の解除が行われた場合には、発光ダイオード２０１がＯＮになっているか否かを判断する。発光ダイオード２０１がＯＦＦの場合にはステップＳ４０８に進む。
【００３６】
ステップＳ４０７において、着信照明ランプ制御部３０２Ｂでは発光ダイオード２０１がＯＮになっている場合には発光ダイオード２０１をＯＦＦにしステップＳ４０８に進む。
ステップＳ４０８において、着信照明ランプ制御部３０２Ｂでは高分子分散液晶２０３の電圧電源２０３ＤがＯＮになっているか否かを判断する。電圧電源２０３ＤがＯＦＦの場合には、ステップＳ４０２で行った通常のマナーモード設定に対して設定の解除を行って処理を終了する。
【００３７】
ステップＳ４０９において、電圧電源２０３ＤがＯＮになっている場合には電圧電源２０３ＤをＯＦＦとし、高分子分散液晶２０３を透明状態から白濁状態にし、処理を終了する。これにより、着信照明ランプ１０１の照明装置としての動作を終了する。
図６は図１における着信照明ランプ１０１について白濁状態から照明状態への遷移を説明する図である。本図（ａ）に示すように、電圧電源２０３ＤがＯＮになり高分子分散液晶２０３が透明になると、着信照明ランプ１０１は発光ダイオード２０１からの光を携帯電話機１００の外側に出し、より遠くまで照らす。
【００３８】
本図（ｂ）に示すように、電圧電源２０３ＤがＯＦＦになり高分子分散液晶２０３が白濁になると、着信照明ランプ１０１は発光ダイオード２０１からの光を分散し、携帯電話機１００の周辺部を照らし、着信を知らせる。この場合、着信スピーカ１０２から着信音が鳴動する。
このように、着信照明ランプ１０１は、電圧電源２０３ＤのＯＦＦからＯＮの変化に対して高分子分散液晶２０３が白濁状態から光の散乱が抑えられる透明状態に遷移し、携帯電話機１００の筐体透明部２０５から出る光の光量が増え、視覚依存性が少なく、電極表面の配向処理が不要となり、制作が簡単な構造であるという特徴を有し、ユーザーの操作により従来の着信ランプから照明装置として動作することが可能になる。
【００３９】
したがって、本発明によれば、携帯電話機１００は照明装置として機能するので、暗闇で鍵穴、落とし物を捜し、暗闇で行動するために有用となる。
以上の説明では、マナーモード設定のボタンの長押しか否かを例にして照明又は着信を識別したが、携帯電話機１００のメニューに照明の有無の設定を行うようにしてもよい。以下同様である。
【実施例１】
【００４０】
図７は図１の携帯電話機１００における非常照明機能の制御動作例を説明するフローチャートである。
本図に示すように、図５と比較して、ステップＳ４１５において、着信スピーカ１０２をＯＮにする。
ステップＳ４１６において、着信スピーカ１０２の着信音の音量を最大にし、処理を終了する。
【００４１】
ステップＳ４２２において、着信照明ランプ制御部３０２Ｂでは着信スピーカ１０２がＯＮになっているか否かを判断する。着信スピーカ１０２がＯＦＦの場合にはステップＳ４２４に進む。
ステップＳ４２３において、着信照明ランプ制御部３０２Ｂでは着信スピーカ１０２がＯＮになっている場合には着信スピーカ１０２をＯＦＦにしステップＳ４２４に進む。
【００４２】
ステップＳ４２４において、着信スピーカ１０２の着信音の音量が最大になっているか否かを判断する。着信スピーカ１０２の着信音の音量が最大となっていない場合にはステップＳ４１２で行った通常のマナーモード設定に対して設定の解除を行って処理を終了する。
ステップＳ４２５において、着信スピーカ１０２の着信音の音量が最大となっている場合には着信音の音量を元に戻し、処理を終了する。なお、元の着信音の音量が最大の場合にはそのままの音量とする。これにより、着信照明ランプ１０１の非常用照明装置としての動作を終了する。
【００４３】
他のステップ処理は図５の説明と同一であるので、説明を省略する。
図８は図１における着信照明ランプ１０１について白濁状態から非常用照明状態への変化を説明する図である。
本図（ａ）に示すように、電圧電源２０３ＤがＯＮになり高分子分散液晶２０３が透明になり、着信スピーカ１０２がＯＮになり着信音が最大となる報知音が形成され、着信照明ランプ１０１は発光ダイオード２０１からの光を携帯電話機１００の外側に出し、より遠くまで照らすと同時に携帯電話機１００から報知音が鳴動する。
【００４４】
本図（ｂ）に示すように、電圧電源２０３ＤがＯＦＦになり高分子分散液晶２０３が白濁になり、着信照明ランプ１０１は発光ダイオード２０１から出力される光を分散し、携帯電話機１００の周辺部を照らし、着信を知らせる。この場合、着信スピーカ１０２から着信音が鳴動する。
このように、電圧電源２０３ＤのＯＦＦからＯＮの変化に対して高分子分散液晶２０３が白濁状態から透明状態に遷移し、着信照明ランプ１０１は従来の着信ランプとしての機能を有し、ユーザーの操作により着信スピーカ１０２からの報知音の鳴動と協同して非常用照明装置となる。
【００４５】
したがって、本発明によれば、携帯電話機１００は非常用照明装置として機能するので、犯罪、災害に出会った場合に被害者の存在を知らせるために有用となる。
【実施例２】
【００４６】
図９は図７の変形例であり、携帯電話機１００における非常照明機能の制御動作例を説明するフローチャートである。
本図に示すように、図７と比較して、ステップＳ４３４において、着信照明ランプ制御部３０２Ｂは高分子分散液晶２０３の電圧電源２０３ＤのＯＮ、ＯＦＦを一定間隔で繰り返す。
【００４７】
ステップＳ４４０において、着信照明ランプ制御部３０２Ｂは電圧電源２０３ＤのＯＮ、ＯＦＦが一定間隔で繰り返しているか否かを判断する。電圧電源２０３ＤのＯＮ、ＯＦＦが一定間隔で繰り返していない場合にはステップＳ４４２に進み、繰り返している場合にはステップＳ４４１に進む。
他のステップの処理は図７の説明と同一であるので説明を省略する。
【００４８】
このように、電圧電源２０３ＤのＯＮ、ＯＦＦが一定間隔で繰り返されるので、高分子分散液晶２０３が透明状態から白濁状態に、白濁状態から透明状態に一定間隔で相互に遷移し、発光ダイオード２０１の光は、携帯電話機１００の周辺部を照らし、携帯電話機１００から外側に出て遠くを照らす動作を繰り返し着信スピーカ１０２の報知音と協同して着信ランプから非常用照明装置となる。
【００４９】
したがって、本発明によれば、遠近を交互に照らす機能が加わるので、非常用照明装置としての機能が向上する。
【実施例３】
【００５０】
図１０は図５の例と図７の例とを組み合わせた変形例であり、照明機能と非常照明機能を有する携帯電話機１００の制御動作例を説明するフローチャートである。
本図に示すように、図７と比較して、ステップＳ４５２において、液晶状態切替判断部３０２Ａではマナーモード設定が選択された場合には、マナーモード設定のボタンを押す時間ｔが所定時間ｔ１よりも長いか（ｔ＞ｔ１）否かを判断する。ボタンを押す時間ｔが所定時間ｔ１よりも長い（ｔ＞ｔ１）場合には第１の長押しと判断する。ボタンを押す時間ｔが所定時間ｔ１と等しいか又は短い（ｔ≦ｔ１）場合には、通常のマナーモード設定と判断して処理を終了する。
【００５１】
ステップＳ４５３において、液晶状態切替判断部３０２Ａで第１の長押し（ｔ＞ｔ１）との判断を行った場合には、さらに、マナーモード設定のボタンを押す時間ｔが所定時間ｔ２よりも長いか（ｔ＞ｔ２（＞ｔ１））否かを判断する。ボタンを押す時間ｔが所定時間ｔ２よりも長い（ｔ＞２１（＞ｔ１）））場合には第２の長押しと判断する。ボタンを押す時間ｔが所定時間ｔ２と等しいか又は短い（（ｔ１＜）ｔ≦ｔ２）場合には、ステップＳ４５６に進む。
【００５２】
ステップＳ４５４において、液晶状態切替判断部３０２Ａで第２の長押し（ｔ＞ｔ２）との判断を行った場合には、着信照明ランプ制御部３０２Ｂでは着信照明ランプ１０１の発光ダイオード２０１をＯＮにする。
ステップＳ４５５において、さらに、着信照明ランプ制御部３０２Ｂでは電圧電源２０３ＤをＯＮにして高分子分散液晶２０３を透明状態にし、処理を終了する。
【００５３】
ステップＳ４５６において、着信スピーカ１０２をＯＮにする。
ステップＳ４５７において、着信スピーカ１０２の着信音の音量を最大にしステップＳ４５４に進む。
なお、ステップＳ４５８からステップＳ４６６は図７のステップＳ４１７からステップＳ４２５と同様であるので、説明を省略する。
【００５４】
このようにして、携帯電話機１００は照明機能、非常照明機能を有し、マナーモード設定のボタンの長押しの時間に応じて、照明機能、非常照明機能を使い分けることが可能になる。
【実施例４】
【００５５】
図１１は図１の携帯電話機１００の着信時に発光の見栄えを変える着信発光機能の動作例を説明するフローチャートである。
本図に示すように、ステップＳ４７１において、携帯電話機１００のメニューで着信照明ランプ１０１の高分子分散液晶２０３に対してユーザー操作により白濁又は透明の設定を行う。
【００５６】
ステップＳ４７２において、携帯電話機制御部３０１の着信照明制御部３０２における液晶状態切替判断部３０２Ａで、高分子分散液晶２０３に対して白濁が設定されているか否かを判断する。高分子分散液晶２０３に対して白濁が設定されていると判断した場合にはステップＳ４７３に進み、白濁の設定がされていないと判断した場合にはステップＳ４７７に進む。
【００５７】
ステップＳ４７３において、携帯電話機１００に着信が有るか否かを判断する。着信が無い場合には処理を終了する。
ステップＳ４７４において、着信が有る場合には、着信照明ランプ制御部３０２Ｂは発光ダイオード２０１をＯＮにする。
ステップＳ４７５において、着信照明ランプ制御部３０２Ｂは電圧電源２０３ＤをＯＦＦにし、高分子分散液晶２０３を白濁状態にする。
【００５８】
ステップＳ４７６において、報知音制御部３０２Ｃは着信スピーカ１０２をＯＮにし、処理を終了する。
ステップＳ４７７において、液晶状態切替判断部３０２Ａは透明の設定がされたと判断する。
ステップＳ４７８において、携帯電話機１００に着信が有るか否かを判断する。着信が無い場合には処理を終了する。
【００５９】
ステップＳ４７９において、着信が有る場合には、着信照明ランプ制御部３０２Ｂは発光ダイオード２０１をＯＮにする。
ステップＳ４８０において、着信照明ランプ制御部３０２Ｂは電圧電源２０３ＤをＯＮにし、高分子分散液晶２０３を透明状態にする。
ステップＳ４８１において、報知音制御部３０２Ｃは着信スピーカ１０２をＯＮにし、処理を終了する。
【００６０】
したがって、本発明によれば、着信照明ランプ１０１は、着信発光機能としてユーザーの操作で携帯電話機１００への着信時に着信照明ランプ１０１の発光を白濁状態又は透明状態で行うことができ、見栄えを変化させる着信発光機能が可能になる。
【実施例５】
【００６１】
図１２は図１１の変形例であり、図１の携帯電話機１００の着信時に発光の見栄えを変える着信発光機能の動作例を説明するフローチャートである。
本図に示すように、ステップＳ４９１において、携帯電話機１００に着信が有るか否かを判断する。着信が無い場合には処理を終了する。
ステップＳ４９２において、着信照明ランプ制御部３０２Ｂは発光ダイオード２０１をＯＮにする。
【００６２】
ステップＳ４９３において、着信照明ランプ制御部３０２Ｂは高分子分散液晶２０３の電圧電源２０３ＤのＯＮ、ＯＦＦを一定間隔で繰り返す。
ステップＳ４９４において、着信照明ランプ制御部３０２Ｂは着信スピーカ１０２をＯＮにし、処理を終了する。
したがって、本発明によれば、着信照明ランプ１０１は、着信発光機能として着信時に遠近を交互に照らす機能が加わるので、着信照明ランプ１０１の着信時の発光の見栄えを変化させることが可能になる。
【実施例６】
【００６３】
図１３は図１の携帯電話機１００が有する照明機能、着信発光機能の制御動作例を説明するフローチャートである。
本図に示すように、ステップＳ５０１において、着信照明制御部３０２の液晶状態切替判断部３０２Ａでは、マナーモード設定が選択されたか否かを判断する。マナーモード設定が選択されていない場合にはステップＳ５０５に進む。
【００６４】
ステップＳ５０２において、液晶状態切替判断部３０２Ａではマナーモード設定が行われた場合には、マナーモード設定のボタンを押す時間ｔが所定時間ｔ０よりも長いか（ｔ＞ｔ０）否かを判断する。ボタンを押す時間ｔが所定時間ｔ０よりも長い（ｔ＞ｔ０）場合には長押しと判断する。ボタンを押す時間ｔが所定時間ｔ０と等しいか又は短い（ｔ≦ｔ０）場合には、通常のマナーモード設定と判断して処理を終了する。すなわち、高分子分散液晶２０３の電源電圧２０３ＤはＯＦＦであり、高分子分散液晶２０３は白濁状態である。
【００６５】
ステップＳ５０３において、液晶状態切替判断部３０２Ａで長押し（ｔ＞ｔ０）との判断を行った場合には、着信照明ランプ制御部３０２Ｂでは着信照明ランプ１０１の発光ダイオード２０１をＯＮにする。
ステップＳ５０４において、さらに、着信照明ランプ制御部３０２Ｂでは高分子分散液晶２０３の電圧電源２０３ＤをＯＮにし、高分子分散液晶２０３を透明状態にし、処理を終了する。
【００６６】
これにより、着信照明ランプ１０１は照明装置として動作する。
ステップＳ５０５において、着信照明ランプ制御部３０２Ｂではマナーモード設定の解除が選択されたか否かを判断する。解除が選択されない場合には処理を終了する。
ステップＳ５０６において、着信照明ランプ制御部３０２Ｂではマナーモード設定の解除が行われた場合には、発光ダイオード２０１がＯＮになっているか否かを判断する。発光ダイオード２０１がＯＦＦの場合にはステップＳ５０８に進む。
【００６７】
ステップＳ５０７において、着信照明ランプ制御部３０２Ｂでは発光ダイオード２０１がＯＮになっている場合には発光ダイオード２０１をＯＦＦにしステップＳ５０８に進む。
ステップＳ５０８において、着信照明ランプ制御部３０２Ｂでは高分子分散液晶２０３の電圧電源２０３ＤがＯＮになっているか否かを判断する。電圧電源２０３ＤがＯＦＦの場合には、ステップＳ５０２で行った通常のマナーモード設定に対して設定の解除を行って処理を終了する。
【００６８】
ステップＳ５０９において、電圧電源２０３ＤがＯＮになっている場合には電圧電源２０３ＤをＯＦＦとし、高分子分散液晶２０３を透明状態から白濁状態にし、処理を終了する。これにより、着信照明ランプ１０１の照明装置としての動作を終了する。
ステップＳ５１０において、携帯電話機１００のメニューで着信照明ランプ１０１の高分子分散液晶２０３に対してユーザー操作により白濁又は透明の設定を行う。
【００６９】
ステップＳ５１１において、携帯電話機制御部３０１の着信照明制御部３０２における液晶状態切替判断部３０２Ａで、高分子分散液晶２０３に対して白濁が設定されているか否かを判断する。高分子分散液晶２０３に対して白濁が設定されていると判断した場合にはステップＳ５１２に進み、白濁の設定がされていないと判断した場合にはステップＳ５１６に進む。
【００７０】
ステップＳ５１２において、携帯電話機１００に着信が有るか否かを判断する。着信が無い場合には処理を終了する。
ステップＳ５１３において、着信が有る場合には、着信照明ランプ制御部３０２Ｂは発光ダイオード２０１をＯＮにする。
ステップＳ５１４において、着信照明ランプ制御部３０２Ｂは電圧電源２０３ＤをＯＦＦにし、高分子分散液晶２０３を白濁状態にする。
【００７１】
ステップＳ５１５において、報知音制御部３０２Ｃは着信スピーカ１０２をＯＮにし、処理を終了する。
ステップＳ５１６において、液晶状態切替判断部３０２Ａは透明の設定がされたと判断する。
ステップＳ５１７において、携帯電話機１００に着信が有るか否かを判断する。着信が無い場合には処理を終了する。
【００７２】
ステップ５１８において、着信が有る場合には、着信照明ランプ制御部３０２Ｂは発光ダイオード２０１をＯＮにする。
ステップＳ５１９において、着信照明ランプ制御部３０２Ｂは電圧電源２０３ＤをＯＮにし、高分子分散液晶２０３を透明状態にする。
ステップＳ５２０において、報知音制御部３０２Ｃは着信スピーカ１０２をＯＮにし、処理を終了する。
【００７３】
したがって、本発明によれば、携帯電話機１００は、照明機能、見栄えを変化させる着信発光機能を備えることになる。
【実施例７】
【００７４】
図１４は図１３の変形例であり、図１の携帯電話機１００が有する非常用照明機能、着信発光機能の制御動作例を説明するフローチャートである。
本図に示すように、図１３と比較して、ステップＳ５２５において、着信スピーカ１０２をＯＮにする。
ステップＳ５２６において、着信スピーカ１０２の着信音の音量を最大にし、処理を終了する。
【００７５】
ステップＳ５３２において、着信照明ランプ制御部３０２Ｂでは着信スピーカ１０２がＯＮになっているか否かを判断する。着信スピーカ１０２がＯＦＦの場合にはステップＳ５３４に進む。
ステップＳ５３３において、着信照明ランプ制御部３０２Ｂでは着信スピーカ１０２がＯＮになっている場合には着信スピーカ１０２をＯＦＦにしステップＳ５３４に進む。
【００７６】
ステップＳ５３４において、着信スピーカ１０２の着信音の音量が最大になっているか否かを判断する。着信スピーカ１０２の着信音の音量が最大となっていない場合にはステップＳ５３２で行った通常のマナーモード設定に対して設定の解除を行って処理を終了する。
ステップＳ５３５において、着信スピーカ１０２の着信音の音量が最大となっている場合には着信音の音量を元に戻し、処理を終了する。なお、元の着信音の音量が最大の場合にはそのままの音量とする。これにより、着信照明ランプ１０１の非常用照明装置としての動作を終了する。
【００７７】
他のステップ処理は図１３と同一であるので、説明を省略する。
したがって、本発明によれば、本発明によれば、携帯電話機１００は、非常用照明機能、見栄えを変化させる着信発光機能を備えることになる。
【実施例８】
【００７８】
図１５は図１３の変形例であり、図１の携帯電話機１００が有する照明機能、非常用照明機能、着信発光機能の制御動作例を説明するフローチャートである。
本図に示すように、図１３と比較して、ステップＳ５５２において、液晶状態切替判断部３０２Ａではマナーモード設定が選択された場合には、マナーモード設定のボタンを押す時間ｔが所定時間ｔ１よりも長いか（ｔ＞ｔ１）否かを判断する。ボタンを押す時間ｔが所定時間ｔ１よりも長い（ｔ＞ｔ１）場合には第１の長押しと判断する。ボタンを押す時間ｔが所定時間ｔ１と等しいか又は短い（ｔ≦ｔ１）場合には、通常のマナーモード設定と判断して処理を終了する。
【００７９】
ステップＳ５５３において、液晶状態切替判断部３０２Ａで第１の長押し（ｔ＞ｔ１）との判断を行った場合には、さらに、マナーモード設定のボタンを押す時間ｔが所定時間ｔ２よりも長いか（ｔ＞ｔ２（＞ｔ１））否かを判断する。ボタンを押す時間ｔが所定時間ｔ２よりも長い（ｔ＞ｔ２（＞ｔ１）））場合には第２の長押しと判断する。ボタンを押す時間ｔが所定時間ｔ２と等しいか又は短い（（ｔ１＜）ｔ≦ｔ２）場合には、ステップＳ５５６に進む。
【００８０】
ステップＳ５５４において、液晶状態切替判断部３０２Ａで第２の長押し（ｔ＞ｔ２）との判断を行った場合には、着信照明ランプ制御部３０２Ｂでは着信照明ランプ１０１の発光ダイオード２０１をＯＮにする。
ステップＳ５５５において、さらに、着信照明ランプ制御部３０２Ｂでは電圧電源２０３ＤをＯＮにして、高分子分散液晶２０３を透明状態にし、処理を終了する。
【００８１】
ステップＳ５５６において、着信スピーカ１０２をＯＮにする。
ステップＳ５５７において、着信スピーカ１０２の着信音の音量を最大にし、ステップＳ５５４に進む。
なお、その他のステップの処理は、図１３の説明と同様であるので、説明を省略する。
このようにして、携帯電話機１００は照明機能、非常照明機能、見栄えを変化させる着信発光機能を備えることになる。
【産業上の利用可能性】
【００８２】
以上、携帯電話機について説明を行ったが、これに限らず、ＰＨＳ（簡易型携帯電話機）、ＰＤＡ（携帯情報端末）にも本発明を利用可能である。
【図面の簡単な説明】
【００８３】
【図１】本発明に係る携帯電話機の概略外観を示す表裏面図である。
【図２】図１における着信照明ランプ１０１の概略構成を示す断面図である。
【図３】図２における高分子分散液晶２０３の状態遷移を説明する図である。
【図４】携帯電話機１００の制御部の概略構成を示すブロック図である。
【図５】図１の携帯電話機１００における照明機能の制御動作例を説明するフローチャートである。
【図６】図１における着信照明ランプ１０１の照明状態への変化を説明する図である。
【図７】図１の携帯電話機１００における非常照明機能の制御動作例を説明するフローチャートである。
【図８】図１における着信照明ランプ１０１の非常用照明状態への変化を説明する図である。
【図９】図７の変形例であり、携帯電話機１００における非常照明機能の制御動作例を説明するフローチャートである。
【図１０】図５の例と図７の例とを組み合わせた変形例であり、照明機能と非常照明機能を有する携帯電話機１００の制御動作例を説明するフローチャートである。
【図１１】図１の携帯電話機１００の着信時に発光の見栄えを変える着信発光機能の動作例を説明するフローチャートである。
【図１２】図１１の変形例であり、図１の携帯電話機１００の着信時に発光の見栄えを変える着信発光機能の動作例を説明するフローチャートである。
【図１３】図１の携帯電話機１００が有する照明機能、着信発光機能の制御動作例を説明するフローチャートである。
【図１４】図１３の変形例であり、図１の携帯電話機１００が有する非常用照明機能、着信発光機能の制御動作例を説明するフローチャートである。
【図１５】図１３の変形例であり、図１の携帯電話機１００が有する照明機能、非常用照明機能、着信発光機能の制御動作例を説明するフローチャートである。
【符号の説明】
【００８４】
１００…携帯電話機
１０１…着信照明ランプ
１０２…着信スピーカ
２０１…発光ダイオード
２０２…基板
２０３…高分子分散液晶
２０３Ａ…高分子
２０３Ｂ…液晶分子
２０３Ｃ…導電性高分子
２０３Ｄ…電圧電源
２０４…筐体
２０５…筐体透明部
３０１…携帯電話機制御部
３０２…着信照明制御部
３０２Ａ…液晶状態切替判断部
３０２Ｂ…着信照明ランプ制御部
３０２Ｃ…報知音制御部
【図１】
0004761145.tif 000002
【図２】
0004761145.tif 000003
【図３】
0004761145.tif 000004
【図４】
0004761145.tif 000005
【図５】
0004761145.tif 000006
【図６】
0004761145.tif 000007
【図７】
0004761145.tif 000008
【図８】
0004761145.tif 000009
【図９】
0004761145.tif 000010
【図１０】
0004761145.tif 000011
【図１１】
0004761145.tif 000012
【図１２】
0004761145.tif 000013
【図１３】
0004761145.tif 000014
【図１４】
0004761145.tif 000015
【図１５】
0004761145.tif 000016